(57)【特許請求の範囲】
【請求項１】
内部空間を形成する第１ハウジングと、前記内部空間を軸方向に第１及び第２の空間に区画する第２ハウジングと、前記第１及び第２の空間内を常時一定圧力に保たれた定圧室と該定圧室又は少なくとも前記定圧室内の圧力よりも高圧の高圧源に選択的に連通する変圧室とに区画する可動壁とを有し、前記定圧室と前記変圧室との差圧により入力ロッドに及ぼされた操作力を倍力するタンデム型倍力装置において、前記第１ハウジングに設けられ前記第２ハウジングの外周に係合し固定するかしめ部と、前記第２ハウジングの外周に設けられ少なくとも前記かしめ部との係合を解除できる大きさ及び数を有した切り欠き部と、前記第２ハウジングの外周近傍に設けられるバックアップ部とを備え、前記第１ハウジングの外周を凹ませて前記第２ハウジングの外周に係合する前記かしめ部を形成する際に、前記かしめ部が前記バックアップ部に当接して前記かしめ部の凹みの量が規制されることを特徴とする倍力装置。
【発明の詳細な説明】
【０００１】
【産業上の利用分野】
本発明は、倍力装置に関し、更に詳しくは、そのハウジング構造の改良に関する。
【０００２】
【従来の技術】
第１の従来技術としては、実開平２−１２３４６３号公報に開示される技術が知られている。図５は、この技術の倍力装置のハウジングのかしめ部の拡大断面図である。同図において、１００、１０１は共に第１ハウジング、１０２は第２ハウジングを示す。第１ハウジング１００、１０１は、内部空間を形成し、この内部空間を第２ハウジング１０２が第１の空間１０３及び第２の空間１０４に区画してる。第１及び第２の空間１０３、１０４は、それぞれ可動壁１０５、１０６により、常時負圧に保たれた定圧室１０３ａ、１０４ａと定圧室１０３ａ、１０４ａ又は大気に選択的に連通させられる変圧室１０３ｂ、１０４ｂとに区画されている。第２ハウジング１０２は、係止部１０２ａにおいて第１ハウジング１００の段部１００ａに係止され、又第１ハウジング１００と共に可動壁１０５の外周係合部１０５ａを狭持している。第１ハウジング１０１は、外周部１０１ａにおいて第１ハウジング１００と共に可動壁１０６の外周係合部１０６ａ及び第２ハウジング１０２を狭持している。
【０００３】
第２の従来技術としては、ＵＳＰ４９７９４２６号公報に開示される技術が知られている。これは、第１ハウジング内が第２ハウジングにより軸方向に二つの空間に区画されていて、更にそれぞれの空間が可動壁により定圧室と変圧室とに分けらるタンデム型倍力装置である。そして、第２ハウジングは、外周が第１ハウジングの内周にかしめにより固定されているものであって、組付けの際には、第１ハウジング内に第２ハウジングを嵌め込み、第１ハウジングの外周を叩いて凹ませることによりかしめている。
【０００４】
【発明が解決しようとする課題】
上記した第１の従来技術では、第１ハウジング１００、１０１同士の隙間の気密を保持する手段が取られていないため、第２ハウジングの係止部１０２ａから可動壁１０５までの部分１０２ｂ（図５）と第１ハウジング１００との間の隙間に防腐処理を施す必要がありコストアップとなっていた。又、第２ハウジングは、取り外しを容易に行うために第１ハウジング同士の係合部において狭持されているが、第２ハウジングの係止部１０２ａから可動壁１０５までの部分１０２ｂまでの距離（深さ）を確保しなければならず、これが大きいために第２ハウジングを成形するプレス装置のプレス型が多く必要になりコストアップに繋がっていた。
【０００５】
第２の従来技術では、第２ハウジングを第１ハウジングにかしめて固定してしまうと、次に取り外すのが非常に困難となる。又、第２ハウジングをかしめるために第１ハウジングの外周を叩くことが行われるが、失敗すると第１ハウジングに穴が空いてしまって外気との気密が保てなくなる恐れがある。
【０００６】
本発明は、低コスト、且つ第２ハウジングの組み付け後でも容易に取り外しができて、更にかしめ時に第１ハウジングの穴空きが防止できる構成とすることを技術的課題とする。
【０００７】
【課題を解決するための手段】
上記した技術的課題を解決するため請求項１の発明において講じた技術的手段は、内部空間を形成する第１ハウジングと、内部空間を軸方向に第１及び第２の空間に区画する第２ハウジングと、第１及び第２の空間内を常時一定圧力に保たれた定圧室と定圧室又は少なくとも定圧室内の圧力よりも高圧の高圧源に選択的に連通する変圧室とに区画する可動壁とを有し、定圧室と変圧室との差圧により入力ロッドに及ぼされた操作力を倍力する倍力装置において、第１ハウジングに設けられ第２ハウジングの外周に係合し固定するかしめ部と、第２ハウジングの外周に設けられ少なくともかしめ部との係合を解除できる大きさ及び数を有した切り欠き部と、第２ハウジングの外周近傍に設けられるバックアップ部とを備え、第１ハウジングの外周を凹ませて第２ハウジングの外周に係合するかしめ部を形成する際に、かしめ部がバックアップ部に当接してかしめ部の凹みの量が規制されるようにしたことである。
【０００８】
【作用】
本発明の作用を説明する。第１ハウジングに設けられ第２ハウジングの外周に係合し固定するかしめ部と、第２ハウジングの外周に設けられ少なくともかしめ部との係合を解除できる大きさを有した切り欠き部とを備えたことによって、第２ハウジングをかしめた後でも、第２ハウジングを回転させてかしめ部と切り欠き部が軸方向に同じ位置になるようにすれば、容易に第２ハウジングを取り外すことができるようになる。このため、第２ハウジングを任意の場所に固定することができるので、内部空間内で固定するようにすれば防腐処理を施す必要がなくなり、低コスト化が図れる。更に、第２ハウジングの深さを確保する必要が無くなるために、プレス装置のプレス型が少なくてすみ、低コスト化が図れる。一方、第２ハウジングの外周近傍に設けられるバックアップ部を備えたことによって、第２ハウジングをかしめるべく第１ハウジングの外周を叩いても、かしめ部がバックアップ部に当接し、それ以上凹まなくなるためかしめ部における穴空きが防止される。
【０００９】
【実施例】
本発明に係る一実施例を図面に基づいて説明する。
【００１０】
図１は本発明を負圧式倍力装置に採用した断面図、図２は本実施例の第１ハウジングと第２ハウジングとのかしめ部の一部の断面図、図３は図２のＡ−Ａ断面矢示図、図４は図２のＢ−Ｂ断面矢示図である。
【００１１】
図１において、１０、１１は内部空間を形成する第１ハウジング、１２は内部空間を軸方向に第１の空間１３と第２の空間１４とに区画する第２ハウジングを示している。第１及び第２の空間１３、１４は、それぞれ環状プレート１５、１６と、ダイヤフラム１７、１８とを備える可動壁によって、更に定圧室１３ａ、１４ａと変圧室１３ｂ、１４ｂとに分割されている。環状プレート１５、１６の内周部及びダイヤフラム１７、１８の内周部は、パワーピストン１９の外周部に支持されている。環状プレート１５の外周部及びダイヤフラム１７の外周部は、第１ハウジング１０及び、第２ハウジング１２の外周に狭持されている。環状プレート１６の外周部及びダイヤフラム１８の外周部は、第１ハウジング１０と１１との間に狭持されている。
【００１２】
パワーピストン１９の内部には連通路１９ａと１９ｂが形成されている。連通路１９ａは定圧室１３ａと１４ａとを接続している。連通路１９ｂは、変圧室１３ｂと１４ｂとを接続している。
【００１３】
第１ハウジング１１には複数のボルト２０が固定され、このボルト２０によってダッシュボート（図示省略）に取り付けられている。
【００１４】
第１ハウジング１０にはマスタシリンダ（図示省略）を固定するための凹部１０ａが形成され、この凹部１０ａには、第１ハウジング１０と出力ロッド２１との間を密閉するシール２２が緩挿されている。このシール２２は、マスタシリンダが挿入されることによって固定されるものであって、更にエア抜けの溝部２２ａが設けられている。
【００１５】
又、第１ハウジング１０の内側には補強板２３が固着されて、この補強板２３にはマスタシリンダを固定するための複数のボルト２４が固着されている。更に第１ハウジング１０には定圧室１３ａ、１４ａを内燃エンジン等の負圧源（図示省略）に連通するコネクタ２５が接続されている。
【００１６】
一方、パワーピストン１９の内部には、エアクリーナ２６、入力ロッド２７、エアバルブ２８、出力ロッド２１が挿入されている。パワーピストン１９の内部には、エアバルブ２８がキー１９ｃによって動きを規制されながら摺動可能に挿入されている。入力ロッド２７の一端にはボールジョイント部２７ａが形成されている。ボールジョイント部２７ａは第１エアバルブ２８ａの内部に挿入されると共に、かしめ固定されている。入力ロッド２７は第１エアバルブ２８ａによって摺動可能に支持されている。エアバルブ２８は、入力ロッド２７を支持する第１エアバルブ２８ａと、一端が第１エアバルブ２８ａに当接する第２エアバルブ２８ｂとから構成されている。
【００１７】
入力ロッド２７とエアバルブ２８の間には、制御バルブ機構２９が構成されている。制御バルブは、バネ３０によりエアバルブ２８側に付勢されるコントロールバルブ３１と、パワーピストン１９の弁座部１９ｄと、第１エアバルブ２８ａの弁座部２８ａ1 とにより構成される。コントロールバルブ３１は、端部をパワーピストン１９と狭持部材３２とにより狭持されている。狭持部材３２は、入力ロッド２７を初期位置に向けて付勢するバネ３３を支持している。バネ３３は、入力ロッド２７のフランジ部２７ｂに当接すると共に、エアクリーナ２６を保持している。
【００１８】
出力ロッド２１の一端にはカップ部２１ａが形成されている。カップ部２１ａの内部にはリアクションディスク３４が挿入されている。
【００１９】
更に、パワーピストン１９と第１ハウジング１０との間にはメインスプリング３５が設けられていて、このメインスプリング３５はパワーピストン１９を非作動位置に向けて押しつけている。
【００２０】
図２〜図４において、第２ハウジング１２の外周には、任意に切り欠き部１２ａが、切り欠き部１２ａ以外の外周近傍にはバックアップ部１２ｂが形成されている。切り欠き部１２ａは、少なくともかしめ部１０ａよりも大きく形成されていて、第２ハウジング１２を円周方向に回転させることにより、第１ハウジング１０と第２ハウジング１２との係合を容易に解除できるようになっていて、第２ハウジング１２の取り外しが容易に行える。バックアップ部１２ｂは、第２ハウジング１２のかしめ時、かしめ部１０ａがバックアップ部１２ｂに当接してそれ以上凹まないために、穴空きが防止される。
【００２１】
又、第２ハウジング１２の取り外しを容易に行うことができるため、第２ハウジング１２を任意の場所に固定することができるので、内部空間内で固定するようにすれば防腐処理を施す必要がなくなり低コスト化が図れる。更に、第２ハウジング１２の深さを確保する必要が無くなるために、プレス装置のプレス型が少なくてすみ低コストが図れる。
【００２２】
【発明の効果】
本発明の効果を説明する。第１ハウジングに設けられ第２ハウジングの外周に係合し固定するかしめ部と、第２ハウジングの外周に設けられ少なくともかしめ部との係合を解除できる大きさを有した切り欠き部とを備えたことによって、第２ハウジングをかしめた後でも、第２ハウジングを回転させてかしめ部と切り欠き部が軸方向に同じ位置になるようにすれば、容易に第２ハウジングを取り外すことができるようになる。このため、第２ハウジングを任意の場所に固定することができるので、内部空間内で固定するようにすれば防腐処理を施す必要がなくなり、低コスト化が図れる。更に、第２ハウジングの深さを確保する必要が無くなるために、プレス装置のプレス型が少なくてすみ、低コスト化が図れる。一方、第２ハウジングの外周近傍に設けられるバックアップ部を備えたことによって、第２ハウジングをかしめるべく第１ハウジングの外周を叩いても、かしめ部がバックアップ部に当接し、それ以上凹まなくなるためかしめ部における穴空きが防止される。
【図面の簡単な説明】
【図１】本発明に係る倍力装置の断面図を示す。
【図２】本発明に係る第１ハウジングと第２ハウジングとのかしめ部の一部分の断面図を示す。
【図３】図２のＡ−Ａ断面矢示図を示す。
【図４】図２のＢ−Ｂ断面矢示図を示す。
【図５】従来の倍力装置のハウジングのかしめ部の拡大断面図を示す。
【符号の説明】
１０・・・第１ハウジング
１０ａ・・・かしめ部
１１・・・第１ハウジング
１２・・・第２ハウジング
１２ａ・・・切り欠き部
１２ｂ・・・バックアップ部
１３・・・第１の空間
１４・・・第２の空間
１９・・・パワーピストン
２１・・・出力ロッド
２７・・・入力ロッド
【図１】
0003684586.tif 000002
【図２】
0003684586.tif 000003
【図３】
0003684586.tif 000004
【図４】
0003684586.tif 000005
【図５】
0003684586.tif 000006